(57)【要約】【課題】  専用の無線ＬＡＮアクセスポイントや有線ＬＡＮスイッチを用いることなくユーザの位置情報を得ることができる位置情報管理システムを得る。【解決手段】  認証サーバ１は端末に対する認証を行なうと、端末のユーザＩＤと端末が接続しているアクセスポイント（ＡＰ）名／スイッチ（ＳＷ）名とを対応付けて認証結果ＤＢ１１に格納する。また、設置情報ＤＢ３１にはＬＡＮ上の各ＡＰ／ＳＷの設置位置が格納されている。位置情報管理サーバ２は、位置情報取得対象のユーザＩＤに対応するＡＰ名／ＳＷ名を認証結果ＤＢ１１から得て、さらに得られたＡＰ名／ＳＷ名の設置位置を設置情報ＤＢ３１から得ることにより、ユーザ位置を特定する。【選択図】      図２
2006279632.tif 000002
【特許請求の範囲】
【請求項１】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムであって、
前記第１及び第２の記憶手段の記憶内容を基に前記端末装置が接続する前記ノード装置の位置情報を前記ユーザの位置情報として得る位置情報管理サーバとを含むことを特徴とする位置情報管理システム。
【請求項２】
前記位置情報管理サーバは、前記第１の記憶手段を参照して位置情報取得対象の前記ユーザ識別情報に対応する前記ノード装置識別情報を特定し、前記第２の記憶手段を参照してこの特定された前記ノード装置識別情報に対応する前記ノード装置の位置情報を特定することにより、前記ユーザの位置情報を得ることを特徴とする請求項１記載の位置情報管理システム。
【請求項３】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムであって、
前記認証サーバは、前記認証がなされると前記ユーザ識別情報及び前記ノード装置識別情報を前記位置情報管理サーバに通知し、
前記認証サーバからの前記ユーザ識別情報及び前記ノード装置識別情報の通知に応答して、前記第２の記憶手段の記憶内容を基に前記端末装置が接続する前記ノード装置の位置情報を前記ユーザの位置情報として得る位置情報管理サーバを含むことを特徴とする位置情報管理システム。
【請求項４】
前記位置情報管理サーバは、得られた前記ユーザの位置情報を前記ユーザ識別情報と対応付けて記憶する第３の記憶手段を有することを特徴とする請求項３記載の位置情報管理システム。
【請求項５】
前記位置情報管理サーバは、前記第２の記憶手段を参照して前記認証サーバより通知された前記ノード装置識別情報に対応する前記ノード装置の位置情報を特定することにより、前記ユーザの位置情報を得ることを特徴とする請求項３または４記載の位置情報管理システム。
【請求項６】
前記ユーザ識別情報に代えて前記端末装置を識別するための端末装置識別情報が用いられることを特徴とする請求項１〜５いずれか記載の位置情報管理システム。
【請求項７】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理方法であって、
前記第１及び第２の記憶手段の記憶内容を基に前記端末装置が接続する前記ノード装置の位置情報を前記ユーザの位置情報として得るステップを含むことを特徴とする位置情報管理方法。
【請求項８】
前記ステップは、前記第１の記憶手段を参照して位置情報取得対象の前記ユーザ識別情報に対応する前記ノード装置識別情報を特定するステップと、前記第２の記憶手段を参照してこの特定された前記ノード装置識別情報に対応する前記ノード装置の位置情報を特定するステップとを有することを特徴とする請求項７記載の位置情報管理方法。
【請求項９】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理方法であって、
前記認証サーバにおいて、前記認証がなされると前記ユーザ識別情報及び前記ノード装置識別情報を通知する第１のステップと、
前記認証サーバからの通知に応答して、前記第２の記憶手段の記憶内容を基に前記端末装置が接続する前記ノード装置の位置情報を前記ユーザの位置情報として得る第２のステップとを含むことを特徴とする位置情報管理方法。
【請求項１０】
得られた前記ユーザの位置情報を前記ユーザ識別情報と対応付けて記憶する第３のステップを含むことを特徴とする請求項９記載の位置情報管理方法。
【請求項１１】
前記第２のステップは、前記第２の記憶手段を参照して前記認証サーバより通知された前記ノード装置識別情報に対応する前記ノード装置の位置情報を特定するステップを有することを特徴とする請求項９または１０記載の位置情報管理方法。
【請求項１２】
前記ユーザ識別情報に代えて前記端末装置を識別するための端末装置識別情報が用いられることを特徴とする請求項７〜１１いずれか記載の位置情報管理方法。
【請求項１３】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバであって、
前記第１及び第２の記憶手段の記憶内容を基に前記端末装置が接続する前記ノード装置の位置情報を前記ユーザの位置情報として得ることを特徴とする位置情報管理サーバ。
【請求項１４】
前記第１の記憶手段を参照して位置情報取得対象の前記ユーザ識別情報に対応する前記ノード装置識別情報を特定し、前記第２の記憶手段を参照してこの特定された前記ノード装置識別情報に対応する前記ノード装置の位置情報を特定することにより、前記ユーザの位置情報を得ることを特徴とする請求項１３記載の位置情報管理サーバ。
【請求項１５】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバであって、
前記認証を行なった前記認証サーバからの前記ユーザ識別情報及び前記ノード装置識別情報の通知に応答して、前記第２の記憶手段の記憶内容を基に前記端末装置が接続する前記ノード装置の位置情報を前記ユーザの位置情報として得ることを特徴とする位置情報管理サーバ。
【請求項１６】
得られた前記ユーザの位置情報を前記ユーザ識別情報と対応付けて記憶する第３の記憶手段を有することを特徴とする請求項１５記載の位置情報管理サーバ。
【請求項１７】
前記第２の記憶手段を参照して前記認証サーバより通知された前記ノード装置識別情報に対応する前記ノード装置の位置情報を特定することにより、前記ユーザの位置情報を得ることを特徴とする請求項１５または１６記載の位置情報管理サーバ。
【請求項１８】
前記ユーザ識別情報に代えて前記端末装置を識別するための端末装置識別情報が用いられることを特徴とする請求項１３〜１７いずれか記載の位置情報管理サーバ。
【請求項１９】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバの位置情報管理方法をコンピュータに実行させるためのプログラムであって、
前記第１及び第２の記憶手段の記憶内容を基に前記端末装置が接続する前記ノード装置の位置情報を前記ユーザの位置情報として得る処理を含むことを特徴とするプログラム。
【請求項２０】
端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバの位置情報管理方法をコンピュータに実行させるためのプログラムであって、
前記認証を行なった前記認証サーバからの前記ユーザ識別情報及び前記ノード装置識別情報の通知に応答して、前記第２の記憶手段の記憶内容を基に前記端末装置が接続する前記ノード装置の位置情報を前記ユーザの位置情報として得る処理を含むことを特徴とするプログラム。
【発明の詳細な説明】
【技術分野】
【０００１】
本発明は位置情報管理システム、位置情報管理方法、位置情報管理サーバ及びプログラムに関し、特にＬＡＮ接続ユーザの位置情報を管理する位置情報管理方式に関する。
【背景技術】
【０００２】
近年、ＩＥＥＥ８０２．１ｘに準拠した無線ＬＡＮ（Ｌｏｃａｌ  Ａｒｅａ  Ｎｅｔｗｏｒｋ）のアクセスポイント、有線ＬＡＮのスイッチ、クライアントソフトウェアの普及により、ネットワークに接続する端末の認証システムが提供されている。
【０００３】
このような認証システムでは、無線ＬＡＮのアクセスポイントに接続した無線端末または有線ＬＡＮのスイッチに接続した有線端末は、認証サーバによってＩＥＥＥ８０２．１ｘ認証が行われ、認証サーバの認証結果データベース（ログ）にはＩＥＥＥ８０２．１ｘで認証が行われた結果が格納される。格納される情報は、認証結果、ユーザＩＤ、接続しているアクセスポイントやスイッチの名前（ＩＰ（Ｉｎｔｅｒｎｅｔ  Ｐｒｏｔｏｃｏｌ）アドレス）である。
【０００４】
しかしながら、このシステムは認証に特化した仕組みであり、ユーザの位置を特定するための仕組みを持っておらず、位置情報を管理することができなかった。
【０００５】
一方、ＩＥＥＥ８０２．１ｘ認証を行なわないシステムでの位置情報管理の例が特許文献１及び２に記載されている。特許文献１記載の位置情報管理システムでは、無線ＬＡＮアクセスポイントは移動端末のアソシエート成立を位置管理サーバへ通知し（アクセスポイントの設置場所、移動端末のＭＡＣアドレスを通知し）、位置管理サーバはこのＭＡＣアドレスのユーザＩＤを顧客データベースから検索し、このユーザの位置をアクセスポイントの設置場所として管理するようにしている。
【０００６】
また、特許文献２記載の行き先管理システムでは、行き先管理装置はアクセスポイントＩＤとこのアクセスポイントの設置場所とを対応付けて記憶しておき、アクセスポイントは移動端末との通信を開始すると、この端末のＩＤとアクセスポイントＩＤとを行き先管理装置に通知し、行き先管理装置は上記の記憶内容を参照して移動端末の位置を通知されたアクセスポイントＩＤに対応する設置場所として管理するようにしている。
【０００７】
【特許文献１】特開２００４−０８８４４０号公報
【特許文献２】特開２００２−０３２５６０号公報
【発明の開示】
【発明が解決しようとする課題】
【０００８】
しかしながら、特許文献１及び２記載のシステムでは、位置を把握するためにはアクセスポイントが位置管理サーバ（行き先管理装置）に情報を通知する仕組みを追加する必要がある。すなわち、専用のアクセスポイントを導入しなければならないという問題がある。
【０００９】
本発明の目的は、専用の無線ＬＡＮアクセスポイントや有線ＬＡＮスイッチを用いることなくユーザの位置情報を得ることができる位置情報管理システム、位置情報管理方法、位置情報管理サーバ及びプログラムを提供することである。
【課題を解決するための手段】
【００１０】
本発明による位置情報管理システムは、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムであって、前記第１及び第２の記憶手段の記憶内容を基に前記端末装置が接続する前記ノード装置の位置情報を前記ユーザの位置情報として得る位置情報管理サーバとを含むことを特徴とする。
【００１１】
本発明による別の位置情報管理システムは、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムであって、前記認証サーバは、前記認証がなされると前記ユーザ識別情報及び前記ノード装置識別情報を前記位置情報管理サーバに通知し、前記認証サーバからの前記ユーザ識別情報及び前記ノード装置識別情報の通知に応答して、前記第２の記憶手段の記憶内容を基に前記端末装置が接続する前記ノード装置の位置情報を前記ユーザの位置情報として得る位置情報管理サーバを含むことを特徴とする。
【００１２】
本発明による位置情報管理方法は、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理方法であって、前記第１及び第２の記憶手段の記憶内容を基に前記端末装置が接続する前記ノード装置の位置情報を前記ユーザの位置情報として得るステップを含むことを特徴とする。
【００１３】
本発明による別の位置情報管理方法は、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理方法であって、前記認証サーバにおいて、前記認証がなされると前記ユーザ識別情報及び前記ノード装置識別情報を通知する第１のステップと、前記認証サーバからの通知に応答して、前記第２の記憶手段の記憶内容を基に前記端末装置が接続する前記ノード装置の位置情報を前記ユーザの位置情報として得る第２のステップとを含むことを特徴とする。
【００１４】
本発明による位置情報管理サーバは、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバであって、前記第１及び第２の記憶手段の記憶内容を基に前記端末装置が接続する前記ノード装置の位置情報を前記ユーザの位置情報として得ることを特徴とする。
【００１５】
本発明による別の位置情報管理サーバは、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバであって、前記認証を行なった前記認証サーバからの前記ユーザ識別情報及び前記ノード装置識別情報の通知に応答して、前記第２の記憶手段の記憶内容を基に前記端末装置が接続する前記ノード装置の位置情報を前記ユーザの位置情報として得ることを特徴とする。
【００１６】
本発明によるプログラムは、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバの位置情報管理方法をコンピュータに実行させるためのプログラムであって、前記第１及び第２の記憶手段の記憶内容を基に前記端末装置が接続する前記ノード装置の位置情報を前記ユーザの位置情報として得る処理を含むことを特徴とする。
【００１７】
本発明による別のプログラムは、端末装置のネットワークへの接続を仲介するノード装置を介して前記ネットワークに接続を試みる前記端末装置に対して認証を行なう認証サーバと、前記認証サーバにより前記認証がなされた前記端末装置のユーザを識別するためのユーザ識別情報と前記ノード装置を識別するためのノード装置識別情報とを少なくとも対応付けて記憶する第１の記憶手段と、前記ノード装置識別情報と前記ノード装置の位置情報とを対応付けて記憶する第２の記憶手段とを有する位置情報管理システムの位置情報管理サーバの位置情報管理方法をコンピュータに実行させるためのプログラムであって、前記認証を行なった前記認証サーバからの前記ユーザ識別情報及び前記ノード装置識別情報の通知に応答して、前記第２の記憶手段の記憶内容を基に前記端末装置が接続する前記ノード装置の位置情報を前記ユーザの位置情報として得る処理を含むことを特徴とする。
【００１８】
このように、本発明では、端末装置のネットワークへの接続を仲介するノード装置を介してネットワークに接続を試みる端末装置に対して認証サーバにより認証を行なって、認証された端末装置のユーザを識別するためのユーザ識別情報と端末装置が接続するノード装置識別情報とを少なくとも対応付けて記憶しておくと共に、ノード装置識別情報とノード装置の位置情報とを対応付けて記憶しておく。そして、位置情報管理サーバにより、これら記憶情報から位置情報取得対象ユーザの端末が接続しているノード装置の識別情報とこのノード装置の位置情報とを得ることにより、位置情報取得対象ユーザの位置を特定するようにしている。
【００１９】
また、本発明では、位置情報管理サーバは、認証サーバから認証がなされた端末のユーザ識別情報とこの端末が接続しているノード装置の識別情報が通知され、この通知に応答してこのノード装置の位置情報を得ることにより、認証がなされた各端末のユーザの位置を特定するようにしている。
【発明の効果】
【００２０】
本発明によれば、認証サーバによる認証結果情報を基にユーザが接続中のノード装置を検索し、この検索結果を用いてノード装置設置情報データベースから当該ノード装置の設置位置を特定することにより、ユーザ位置を特定するようにしているので、専用の無線ＬＡＮアクセスポイントや有線ＬＡＮスイッチを用いることなくユーザの位置情報を得ることができるという効果が得られる。
【発明を実施するための最良の形態】
【００２１】
以下、本発明の実施例について図面を参照して説明する。
【００２２】
図１は本発明の実施例による位置情報管理システムの構成を示す図である。図１において、無線ＬＡＮのアクセスポイント（ＡＰ）４に接続した無線端末（パーソナルコンピュータ等）６、有線ＬＡＮのスイッチ（ＳＷ）５に接続した有線端末（パーソナルコンピュータ等）７は、認証サーバ１によってＩＥＥＥ８０２．１ｘ認証が行われる。認証サーバ１は、ＡＰ４／ＳＷ５を介してＬＡＮに接続を試みる端末に対してＩＥＥＥ８０２．１ｘ認証を行なうと、認証サーバ１の認証結果ＤＢ（ログ）１１にＩＥＥＥ８０２．１ｘ認証が行われた結果を格納する。格納される情報は、認証結果、端末のユーザを識別するためのユーザＩＤ（ユーザ識別情報）、端末が接続しているＡＰ／ＳＷの名前（ＩＰアドレス）である。
【００２３】
設置情報管理サーバ３は設置情報ＤＢ３１を有し、設置情報ＤＢ３１にはＬＡＮ上の各ＡＰ／ＳＷが設置されている位置の情報が格納されている。位置情報管理サーバ２は、検索すべきユーザのユーザＩＤをキーとして、このユーザの端末が接続しているＡＰ／ＳＷの名前を認証結果ＤＢ１１から検索する。また、位置情報管理サーバ２は、検索したＡＰ／ＳＷの名前をキーとして、このユーザの現在位置（ＡＰ／ＳＷの設置場所）を設置情報ＤＢ３１から検索する。
【００２４】
図２は図１の構成のうち認証サーバ１、位置情報管理サーバ２及び設置情報管理サーバ３を示す図である。図２に示すように、認証サーバ１の認証結果ＤＢ１１の格納データ１２には、各ＡＰ／ＳＷを介してＬＡＮに接続する端末のユーザのユーザＩＤとこの端末が接続するＡＰ名／ＳＷ名が含まれており、これらが対応付けて認証結果ＤＢ１１に記憶されている。また、設置情報管理サーバ３の設置情報ＤＢ３１の格納データ３２には、ＬＡＮ上の各ＡＰ名／ＳＷ名とその設置位置の情報とが含まれており、これらが対応付けて設置情報ＤＢ３１に記憶されている。
【００２５】
図３は本発明の実施例による位置情報管理システムの動作を示すフローチャートである。図３を参照すると、位置情報管理サーバ２はまず、その表示部の検索ユーザＩＤ入力画面１００（図２参照）を用いて入力されるユーザＩＤを検索すべきユーザＩＤとして取得する（ステップＳ１）。そして、位置情報管理サーバ２は、取得されたユーザＩＤをキーとして認証結果ＤＢ１１を検索し、このユーザＩＤに対応するＡＰ名／ＳＷ名、すなわちこのユーザの端末が接続しているＡＰ名／ＳＷ名を取得する（ステップＳ２）。
【００２６】
次に、位置情報管理サーバ２は、ステップＳ２にて取得されたＡＰ名／ＳＷ名をキーに設置情報ＤＢ３１を検索し、このＡＰ名／ＳＷ名に対応するＡＰ／ＳＷの設置位置を取得する（ステップＳ３）。そして、位置情報管理サーバ２は、ステップＳ３にて取得された設置位置を検索ユーザの位置として表示部に表示する（ステップＳ４）。
【００２７】
以上説明したように本発明の実施例では、位置情報管理サーバ２は、認証結果ＤＢ１１から位置情報取得対象ユーザの端末が接続しているＡＰ名／ＳＷ名を得て、さらに設置情報ＤＢ３１からこのＡＰ／ＳＷの設置場所の情報を得ることにより、位置情報取得対象ユーザの位置を特定するようにしているので、ＩＥＥＥ８０２．１ｘの認証の仕組みを変えることなくユーザの位置を特定することが可能である。また、位置情報管理サーバ２は認証結果ＤＢ１１から情報を得るようにしているので、ＡＰ／ＳＷが位置情報管理サーバ２に情報を通知する必要は無く、よって、ユーザ位置を把握するために専用のＡＰ／ＳＷを導入する必要が無い。
【００２８】
次に、本発明の他の実施例について図面を参照して説明する。本発明の他の実施例による位置情報管理システムの構成は図１に示した構成と同様であるが、位置情報管理サーバ２は位置情報データベースを有している。図４は本発明の他の実施例による認証サーバ１、位置情報管理サーバ２及び設置情報管理サーバ３を示す図である。
【００２９】
図４に示すように、位置情報管理サーバ２は位置情報ＤＢ２１を有している。認証サーバ１は、ＡＰ／ＳＷを介してＬＡＮに接続を試みる端末に対してＩＥＥＥ８０２．１ｘ認証を行なうと、認証結果ＤＢ１１にＩＥＥＥ８０２．１ｘ認証が行われた結果を格納すると共に、格納される情報、すなわちこの端末のユーザのユーザＩＤと接続しているＡＰ名／ＳＷ名（ＩＰアドレス）とを位置情報管理サーバ２に通知するものとする。
【００３０】
図５は本発明の他の実施例による位置情報管理システムの動作を示すフローチャートである。図５を参照すると、まず、認証サーバ１は、ＡＰ／ＳＷを介してＬＡＮに接続を試みる端末に対してＩＥＥＥ８０２．１ｘ認証を行なうと、認証がなされた端末のユーザのユーザＩＤとこの端末が接続しているＡＰ名／ＳＷ名とを位置情報管理サーバ２に通知する（ステップＳ１１）。
【００３１】
次に、位置情報管理サーバ２は、認証サーバ１から通知されたＡＰ名／ＳＷ名をキーに設置情報ＤＢ３１を検索し、このＡＰ名／ＳＷ名に対応するＡＰ／ＳＷの設置位置を取得する（ステップＳ１２）。そして、位置情報管理サーバ２は、ステップＳ１２にて取得された設置位置を認証がなされた端末のユーザの位置として、通知されたユーザＩＤと対応付けて位置情報ＤＢ２１に格納する（ステップＳ１３）。なお、図４に位置情報ＤＢ２１の格納データ２２が示されており、各端末のユーザのユーザＩＤとこの端末が接続しているＡＰ名／ＳＷ名が対応付けて記憶されている。
【００３２】
以上説明したように本発明の他の実施例では、位置情報管理サーバ２は、認証サーバ１から認証がなされた端末のユーザＩＤとこの端末が接続しているＡＰ名／ＳＷ名が通知され、この通知に応答して設置情報ＤＢ３１からこのＡＰ／ＳＷの設置場所の情報を得ることにより、認証がなされた各端末のユーザの位置を特定するようにしているので、ＩＥＥＥ８０２．１ｘの認証の仕組みを変えることなくユーザの位置を特定することが可能である。また、位置情報管理サーバ２は認証サーバ１から情報を得るようにしているので、ＡＰ／ＳＷが位置情報管理サーバ２に情報を通知する必要は無く、よって、ユーザ位置を把握するために専用のＡＰ／ＳＷを導入する必要が無い。また、認証が行なわれるタイミングで位置情報を特定し位置情報ＤＢ２１に書き込むようにしているので、特定ユーザの位置を知りたい場合には位置情報ＤＢ２１を検索するだけでよく、よって、検索速度が向上する。
【００３３】
なお、上述した各実施例では、ユーザＩＤを用いていたが、これに代えて端末を識別するための端末識別情報を用いるようにしてもよいことは勿論である。
【００３４】
また、図３及び図５に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００３５】
本発明の各実施例は、ビル内での有線ＬＡＮ、無線ＬＡＮに接続している人の位置情報検索といった用途に適用でき、また、社員が在席中か否かといった現在の状態（プレゼンス）を集中管理するプレゼンスサーバと連動することにより、プレゼンスサーバが提供するプレゼンス情報に位置情報を付与することも可能である。
【図面の簡単な説明】
【００３６】
【図１】本発明の実施例による位置情報管理システムの構成を示す図である。
【図２】図１の構成のうち認証サーバ、位置情報管理サーバ及び設置情報管理サーバを示す図である。
【図３】本発明の実施例による位置情報管理システムの動作を示すフローチャートである。
【図４】本発明の他の実施例による認証サーバ、位置情報管理サーバ及び設置情報管理サーバを示す図である。
【図５】本発明の他の実施例による位置情報管理システムの動作を示すフローチャートである。
【符号の説明】
【００３７】
１    認証サーバ
２    位置情報管理サーバ
３    設置情報管理サーバ
４    ＡＰ
５    ＳＷ
６    無線端末
７    有線端末
１１    認証結果ＤＢ
１２，２２，３２    格納データ
２１    位置情報ＤＢ
３１    設置情報ＤＢ
１００    画面
【図１】
2006279632.tif 000003
【図２】
2006279632.tif 000004
【図３】
2006279632.tif 000005
【図４】
2006279632.tif 000006
【図５】
2006279632.tif 000007